(57)【要約】【課題】移動通信端末装置が或る通信エリアに到達する前に、当該通信エリア内の要求情報を提供する。【解決手段】予め情報データベース８に記憶した情報から、通信網１で接続された移動通信端末装置２からの要求に応じた情報を読み出して当該移動通信端末装置２に提供する情報配信システムであって、移動通信端末装置２の移動位置を監視して、当該移動通信端末装置２の移動先となる通信エリアを特定する移動検知処理部５ｄと、特定した通信エリアで提供される情報を記憶した情報データベース８から、予め移動通信端末装置２から要求された範疇の情報を読み出して当該移動通信端末装置２に送出する配信処理部５ｅとを設け、移動通信端末装置２が移動先となる通信エリア内に入る前に、この通信エリア内の情報を提供する。【選択図】        図１
2004336598.tif 000002
【特許請求の範囲】
【請求項１】
予め記憶装置に記憶した情報から、通信網で接続された移動通信端末装置からの要求に応じた情報を読み出して当該移動通信端末装置に提供する情報配信システムであって、
上記移動通信端末装置の移動位置を監視して、当該移動通信端末装置の移動先となる通信エリアを特定する手段と、
該手段で特定した通信エリアで提供される情報を記憶した記憶装置から、予め上記移動通信端末装置から要求された範疇の情報を読み出して当該移動通信端末装置に送出する手段とを有し、
上記移動通信端末装置が上記移動先となる通信エリア内に入る前に、該通信エリア内の情報を予め提供することを特徴とする情報配信システム。
【請求項２】
予め記憶装置に記憶した情報から、通信網で接続された移動通信端末装置からの要求に応じた情報を読み出して当該移動通信端末装置に提供する情報配信システムであって、
上記通信網で接続された情報提供業者端末装置から提供される情報を取得して情報記憶装置に格納する提供情報処理手段と、
上記移動通信端末装置の位置情報および移動履歴情報を取得して移動情報記憶装置に格納する移動処理手段と、
上記移動通信端末装置から要求された情報範疇の特定に用いる情報属性情報を取得して当該移動通信端末装置の識別情報に対応付けて情報要求記憶装置に格納する要求情報処理手段と、
上記移動通信端末装置の移動先となる通信エリアを上記移動情報記憶装置に格納された位置情報および移動履歴情報に基づき検知する検知処理手段と、
該検知処理手段で検知した上記通信エリアで提供される上記情報記憶装置に格納された各情報の内、上記情報要求記憶装置に格納された当該移動通信端末装置から要求された情報属性情報で特定される情報を読み出して当該移動通信端末装置に配信する配信処理手段と
を有することを特徴とする情報配信システム。
【請求項３】
請求項２に記載の情報配信システムであって、
上記通信エリア毎に、当該通信エリアの識別に用いるエリアコード情報および当該通信エリアで提供される情報の範疇の特定に用いるエリア属性情報を対応付けてエリア記憶装置に格納するエリア情報処理手段を有し、
上記提供情報処理手段は、上記情報提供業者端末装置から上記情報と共に提供される上記エリアコード情報と当該情報に関連する上記エリア属性情報および上記情報属性情報を、当該情報に対応付けて上記情報記憶装置に格納し、
上記要求情報処理手段は、上記移動通信端末装置から上記情報属性情報と共に指定される上記エリア属性情報を当該情報属性情報に対応付けて上記情報要求記憶装置に格納し、
上記検知処理手段は、上記移動通信端末装置が、該移動通信端末装置が指定した上記エリア属性情報が上記エリア記憶装置において対応付けられた通信エリアに近づくことを検知し、
上記配信処理手段は、上記検知処理手段が上記移動通信端末装置の接近を検知した通信エリアのエリアコード情報を上記エリア記憶装置から読み出し、該エリアコード情報と、当該移動通信端末装置から指定された上記エリア属性情報および上記情報属性情報が対応付けられた情報を、上記情報記憶装置から抽出して当該移動通信端末装置に配信することを特徴とする情報配信システム。
【請求項４】
コンピュータを、請求項１から請求項３のいずれかに記載の情報配信システムにおける各手段として機能させるためのプログラム。
【請求項５】
コンピュータを、請求項１から請求項３のいずれかに記載の情報配信システムにおける各手段として機能させるためのプログラムを記録したことを特徴とするコンピュータ読み取り可能な記録媒体。
【請求項６】
予め記憶装置に記憶した情報から、通信網で接続された移動通信端末装置からの要求に応じた情報を読み出して当該移動通信端末装置に提供するシステムの情報配信方法であって、
上記移動通信端末装置の移動位置を監視して、当該移動通信端末装置の移動先となる通信エリアを特定する手順と、
該手順で特定した通信エリアで提供される情報を記憶した記憶装置から、予め上記移動通信端末装置から要求された範疇の情報を読み出して当該移動通信端末装置に送出する手順とを有し、
上記移動通信端末装置が上記移動先となる通信エリア内に入る前に、該通信エリア内の情報を予め提供することを特徴とする情報配信方法。
【請求項７】
予め記憶装置に記憶した情報から、通信網で接続された移動通信端末装置からの要求に応じた情報を読み出して当該移動通信端末装置に提供するシステムの情報配信方法であって、
上記通信網で接続された情報提供業者端末装置から提供される情報を取得して情報記憶装置に格納する第１の手順と、
上記移動通信端末装置の位置情報および移動履歴情報を取得して移動情報記憶装置に格納する第２の手順と、
上記移動通信端末装置から要求された情報範疇の特定に用いる情報属性情報を取得して当該移動通信端末装置の識別情報に対応付けて情報要求記憶装置に格納する第３の手順と、
上記移動通信端末装置の移動先となる通信エリアを上記移動情報記憶装置に格納された位置情報および移動履歴情報に基づき検知する第４の手順と、
該第４の手順で検知した上記通信エリアで提供される上記情報記憶装置に格納された各情報の内、上記情報要求記憶装置に格納された当該移動通信端末装置から要求された情報属性情報で特定される情報を読み出して当該移動通信端末装置に配信する第５の手順と
を有することを特徴とする情報配信方法。
【請求項８】
請求項７に記載の情報配信方法であって、
上記通信エリア毎に、当該通信エリアの識別に用いるエリアコード情報および当該通信エリアで提供される情報の範疇の特定に用いるエリア属性情報を対応付けてエリア記憶装置に格納する第５の手順を有し、
上記第１の手順では、上記情報提供業者端末装置から上記情報と共に提供される上記エリアコード情報と当該情報に関連する上記エリア属性情報および上記情報属性情報を、当該情報に対応付けて上記情報記憶装置に格納し、
上記第３の手順では、上記移動通信端末装置から上記情報属性情報と共に指定される上記エリア属性情報を当該情報属性情報に対応付けて上記情報要求記憶装置に格納し、
上記第４の手順では、上記移動通信端末装置が、該移動通信端末装置が指定した上記エリア属性情報が上記エリア記憶装置において対応付けられた通信エリアに近づくことを検知し、
上記第５の手順では、上記第４の手順で上記移動通信端末装置の接近を検知した通信エリアのエリアコード情報を上記エリア記憶装置から読み出し、該エリアコード情報と、当該移動通信端末装置から指定された上記エリア属性情報および上記情報属性情報が対応付けられた情報を、上記情報記憶装置から抽出して当該移動通信端末装置に配信することを特徴とする情報配信方法。
【発明の詳細な説明】
【０００１】
【発明の属する技術分野】
本発明は、移動通信網において移動通信端末装置への情報配信サービスを行う技術に係わり、特に、移動通信端末装置のユーザが所望する情報をタイムリーに提供するのに好適な情報配信サービス技術に関するものである。
【０００２】
【従来の技術】
近年、携帯電話やＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）等の移動通信端末装置を用いた、移動通信網における情報提供サービスが普及している。
【０００３】
このような移動通信網における情報提供サービスをユーザが所望する内容で効率的に提供するための従来技術として、例えば、特許文献１、特許文献２、特許文献３に記載の技術がある。
【０００４】
しかし、これらの従来技術は、移動通信端末装置（移動式電話機、無線通信端末、利用者端末）が、特定の通信エリアに入った場合の位置情報により、この移動通信端末装置が指定する条件に合致する当該通信エリア内の情報を提供するものであり、移動通信端末装置が特定の通信エリアに入るまで、ユーザは、指定の情報の提供を受けることはできなかった。
【０００５】
【特許文献１】
特開２００１−３５９１６２号公報
【特許文献２】
特開２００２−２７８８８６号公報
【特許文献３】
特開２００２−３４２３６７号公報
【０００６】
【発明が解決しようとする課題】
解決しようとする問題点は、従来の技術では、移動通信端末装置が特定の通信エリアに入るまで、ユーザは、この特定の通信エリア内での指定の情報の提供を受けることはできない点である。
【０００７】
本発明の目的は、これら従来技術の課題を解決し、移動通信網における情報配信サービスの利便性の向上を図ることである。
【０００８】
【課題を解決するための手段】
上記目的を達成するため、本発明では、通信網において、移動通信端末装置の移動情報を基に、その移動方向を監視して、当該移動通信端末装置の移動先を推定し、推定した移動先にある通信エリアに到達する前に、この通信エリアにおける当該移動通信端末装置が要求する情報を提供する。これにより、ユーザが、移動通信端末装置で設定したエリア属性（温泉地、遊園地、駅など）を持つ通信エリアに近づくと、予め要求を設定した所望の情報属性（レストラン案内、デパート案内、ホテル案内、付近の地図など）を持つ情報（レストランやデパートあるいはホテル等の名前、住所、電話番号など）が提供される。
【０００９】
【発明の実施の形態】
以下、本発明の実施の形態を、図面により詳細に説明する。
【００１０】
図１は、本発明に係わる移動通信情報配信システムを設けたネットワークの構成例を示すブロック図であり、図２は、図１における移動通信情報配信システムの処理動作例を示す説明図、図３は、図１におけるエリアデータベースのテーブル構成例を示す説明図、図４は、図１における情報データベースのテーブル構成例を示す説明図、図５は、図１における移動情報データベースのテーブル構成例を示す説明図、図６は、図１における情報要求データベースのテーブル構成例を示す説明図、図７は、図１におけるデータベース制御装置の処理動作例を示す説明図である。
【００１１】
図１において、１は通信網、２は移動通信端末装置、３１，３２，３３は移動通信用の基地局装置、３１ａ，３２ａ，３３ａは各基地局装置３１〜３３の通信エリア、４は各基地局装置３１〜３３を収容する通信網１の交換機、５は本発明の移動通信情報配信システムを構成しその処理に係わる制御を行うデータべース制御装置（図中「ＤＢ制御装置」と記載）、６は情報提供業者の情報提供業者端末装置（図中「情報提供業者端末」と記載）、７〜１０は移動通信情報配信システムを構成するデータベースであり、７はエリアデータべース（図中「エリアＤＢ」と記載）、８は情報データべース（図中「情報ＤＢ」と記載）、９は移動情報データべース（図中「移動情報ＤＢ」と記載）、１０は情報要求データべース（図中「情報要求ＤＢ」と記載）である。
【００１２】
図１におけるデータベース制御装置５は、ＣＰＵ（Ｃｅｎｔｒａｌ  Ｐｒｏｃｅｓｓｉｎｇ  Ｕｎｉｔ）や主メモリ、表示装置、入力装置、外部記憶装置等を具備したコンピュータ構成からなり、光ディスク駆動装置等を介してＣＤ−ＲＯＭ等の記憶媒体に記録されたプログラムやデータを外部記憶装置内にインストールした後、この外部記憶装置から主メモリに読み込みＣＰＵで処理することにより、各処理部の機能を実行する。
【００１３】
すなわち、データベース制御装置５には、それぞれＣＰＵがプログラムを実行することで実現される機能として、エリア情報処理部５ａ、提供情報処理部５ｂ、要求情報処理部５ｃ、移動検知処理部５ｄ、配信処理部５ｅの各処理部が設けられた構成となっている。
【００１４】
本例の移動通信情報配信システムでは、エリアデータべース７において、図３に詳細を示すように、通信網１において予め定めた通信エリア（３１ａ〜３３ａ）毎のエリアコードおよび当該エリアのエリア属性等の情報を保有し、情報データべース８において、図４に詳細を示すように、情報提供業者端末装置６から提供される情報を蓄積・保持し、移動情報データべース９において、図５に詳細を示すように、移動通信端末装置２の位置情報を含む移動履歴を管理し、情報要求データべース１０において、図６に詳細を示すように、移動通信端末装置２からの要求内容情報を保持する。
【００１５】
そして、データべース制御装置５では、エリア情報処理部５ａにより、通信網１の各通信エリア３１ａ〜３３ａ毎に付与されたエリアコードとエリア属性をエリアデータべース７に保持する。
【００１６】
また、提供情報処理部５ｂにより、情報提供業者端末装置６からエリアコードとエリア属性および情報属性を含む提供情報を受信して情報データべース８に蓄積し、要求情報処理部５ｃにより、移動通信端末装置２からエリア属性と情報属性を含む情報要求を受信して情報要求データべース１０に蓄積・保持する。
【００１７】
そして、移動検知処理部５ｄにより、移動通信端末装置２の位置を移動情報データベース９で監視し、当該移動通信端末装置２が、この移動通信端末装置２が要求したエリア属性を持つ通信エリア（３１ａ〜３３ａ）に向って移動しかつ当該通信エリアに近づくかまたは当該通信エリア内に入ったことを検知し、その検知結果に基づき、配信処理部５ｅにより、通信エリア３１ａ〜３３ａのエリアコードを含みかつ当該移動通信端末装置２が要求したエリア属性および情報属性を持つ提供情報を抽出して当該移動通信端末装置２に配信する。
【００１８】
このように、本例では、データベース制御装置５の移動検知処理部５ｄにより、移動通信端末装置２の位置を監視し、その監視結果に基づき、この移動通信端末装置２が特定の通信エリア（３１ａ〜３３ａ）に向かって移動して近づいたことを検知する。すなわち、移動検知処理部５ｄにおいて、移動通信端末装置２の監視結果に基づき、当該移動通信端末装置２の移動先を推測している。
【００１９】
尚、移動検知処理部５ｄにより、移動履歴から次のエリアを推定する具体的な技術としては、例えば、一旦、地図情報にマッピングして推定する技術などが考えられる。
【００２０】
以下、図２を用いて、その処理動作例を説明する。図２においては、図１のシステムの基本的な動作を説明しており、２１は移動通信端末装置２（車内に搭載）の移動経歴を示し、２２は移動通信端末装置２が移動するであろうと想定される移動方向を示し、３１ｂ，３２ｂ，３３ｂは移動通信端末装置２が移動して通信エリア３１ａ，３２ａ，３３ａに入った時に位置情報を通信網１（データベース制御装置５）へ送信することを示し、１１は移動通信端末装置２が情報提供して欲しい情報要求をデータベース制御装置５を介して情報要求データべース１０へ登録することを示し、１２は情報データべース８から移動通信端末装置２へ情報が提供されることを示す。
【００２１】
まず、図１の説明で述べたように、通信網１において、移動通信基地局３１〜３３毎に通信エリア（３１ａ〜３３ａ）を区切って設定し、各通信エリア毎に通信エリアコードを付与し、隣接する通信エリアのエリアコードと共にエリアデータべース７へ格納しておく。尚、特徴のある通信エリア（３１ａ〜３３ａ）には当該通信エリアがどんな地域特性であるかを示すエリア属性も格納する。
【００２２】
情報提供業者は情報提供業者端末装置６を用いて、提供したい提供情報をデータべース制御装置５の提供情報処理部５ｂを経由して情報データべース８へ格納しておく。このとき提供情報には提供エリアのエリアコードや情報の属性を示す情報属性などが付加されている。
【００２３】
移動通信端末装置２は、出発（移動）する前に、通信網１およびデータべース制御装置５の要求情報処理部５ｃを経由して情報要求データべース１０に、提供して欲しい情報要求１１を登録する。
【００２４】
移動通信端末装置２は、移動経歴２１に示すように、通信エリア３１，３２，３３と順次移動し、位置情報３１ａ，３２ａ，３３ａを通信網１を介してデータベース制御装置５へ送信する。
【００２５】
データべース制御装置５は、移動検知処理部５ｄにより、移動通信端末装置２から位置情報を受信する毎に、この位置情報に含まれるエリアコードを移動情報データべース９へ格納すると共に、移動情報データべース９とエリアデータべース７の情報を読み出して、移動通信端末装置２が次ぎに移動する先の通信エリア３４ａを推定する。
【００２６】
そして、配信処理部５ｅにおいて、推定した通信エリア３４ａのエリア属性を調べ、もし、エリア属性が設定されていれば、情報要求データべース１０から移動通信端末装置２が要求した情報のエリア属性と一致するか否かを調べ、一致すれば、情報データべース８を参照してエリアコードとエリア属性が一致する情報を検索し、該当する情報があれば、当該情報を移動通信端末装置２に配信する。
【００２７】
以上のように、本例の情報配信システムでは、予め記憶装置に記憶した情報から、通信網で接続された移動通信端末装置からの要求に応じた情報を読み出して当該移動通信端末装置に提供する際、データベース制御装置５の移動検知処理部５ｄにおいて、移動通信端末装置２の移動位置を監視して、当該移動通信端末装置２の移動先となる通信エリア３４ａを特定し、配信処理部５ｅにおいて、特定した通信エリア３４ａで提供される情報を記憶した情報データベース８から、予め移動通信端末装置２から要求された範疇（情報属性）の情報を読み出して当該移動通信端末装置２に送出する。
【００２８】
すなわち、データベース制御装置５は、提供情報処理部５ｂにより、通信網１で接続された情報提供業者端末６から提供される情報を取得して情報データベース８に格納し、移動検知処理部５ｄにより、移動通信端末装置２の位置情報および移動履歴情報を取得して移動情報データベース９に格納し、要求情報処理部５ｃにより、移動通信端末装置２から要求された情報範疇の特定に用いる情報属性情報を取得して移動通信端末装置２の識別情報（端末番号）に対応付けて情報要求データベース１０に格納しておく。
【００２９】
そして、移動検知処理部５ｄにより、移動通信端末装置２の移動先の通信エリア（通信エリア３４ａ）に向って近づいたことを移動情報データベース９に格納された位置情報および移動履歴情報に基づき検知すると、配信処理部５ｅにより、このように接近を検知した通信エリア３４ａで提供される情報データベース８に格納された各情報の内、情報要求データベース１０に格納された移動通信端末装置２から要求された情報属性で特定される情報を読み出して移動通信端末装置２に配信する。
【００３０】
より詳細には、データベース制御装置５は、エリア情報処理部５ａにより、通信エリア３１ａ〜３４ａ毎に、当該通信エリアの識別に用いるエリアコード情報および当該通信エリアで提供される情報の範疇の特定に用いるエリア属性情報を対応付けてエリアデータベース７に格納しておき、さらに、提供情報処理部５ｂは、情報提供業者から情報と共に提供されるエリアコード情報と当該情報に関連するエリア属性情報および情報属性情報を、当該情報に対応付けて情報データベース８に格納し、要求情報処理部５ｃは、移動通信端末装置２から情報属性情報と共に指定されるエリア属性情報を当該情報属性情報に対応付けて情報要求データベース１０に格納する。そして、移動検知処理部５ｄにより、移動通信端末装置２が、この移動通信端末装置２が指定したエリア属性がエリアデータベース７において対応付けられた通信エリア３４ａに近づくことを検知すると、配信処理部５ｅにより、移動検知処理部ｄが移動通信端末装置２の接近を検知した通信エリア３４ａのエリアコード情報をエリアデータベース７から読み出し、このエリアコード情報と、当該移動通信端末装置２から指定されたエリア属性情報および情報属性情報が対応付けられた情報を、情報データベース８から抽出して当該移動通信端末装置２に配信する。
【００３１】
以上の構成と処理により、本例では、移動通信端末装置２が移動先となる通信エリア３４ａ内に入る前に、この通信エリア３４ａ内の情報を予め提供することができる。
【００３２】
次に、図３〜図７に示す具体的な例を用いて、各データべースのテーブル内容およびデータべース制御装置５の処理動作をさらに詳しく説明する。
【００３３】
図３において、７０はエリアデータべース７のデータ構造を示すテーブル（図中「テーブル（エリアＤＢ）」と記載）であり、７１はエリアコードフイールドで「１００１」、「１００２」、「１００３」等の各通信エリアを識別する情報が登録され、７２はエリア属性フイールドであり、各通信エリアで提供される情報のカテゴリ（範疇）の特定に用いられる情報（例えば「駅」、「温泉地」等）が登録され、７３は隣接エリアコードフイールドであり、当該通信エリアに隣接する各通信エリアのエリアコード（「１００２」、「２００１」、…「３００３」など）が登録される。
【００３４】
図４において、８０は情報データべース８のデータ構造を示すテーブル（図中「テーブル（情報ＤＢ）」と記載）であり、８１は上述のエリアコードが登録されるフイールド、８２は同じく上述のエリア属性が登録されるフィールド、８３は当該情報の範疇の特定に用いる情報属性情報が登録されるフィールド、８４は提供情報が登録されるフィールドである。
【００３５】
図５において、９０は移動情報データべース９のデータ構造を示すテーブル（図中「テーブル（移動情報ＤＢ）」と記載）であり、９１は移動通信端末装置をの識別に用いられる端末番号が登録されるフィールド、９２は移動履歴を示すための移動先の通信エリアのエリアコード（「１００１」、「１００２」、「１００３」など）が登録されるフイールド、９３は移動履歴を示すための移動先の位置情報を受信した時刻（「１０：４５」、「１１：０２」、「１１：１８」など）が登録されるフィールドである。
【００３６】
図６において、１００は情報要求データべース１０のデータ構造を示すテーブル（図中「テーブル（情報要求ＤＢ）」と記載）であり、１０１は要求した移動通信端末装置（２）の端末番号を登録するフィールド、１０２は「温泉地」等のエリア属性情報が登録されるフィールド、１０３は「ホテル案内」や「付近の地図」等の情報属性が登録されるフィールドである。
【００３７】
図７は、データべース制御装置５の動作を説明するための説明図であり、ステップＳ１〜ステップＳ１３は各動作ステップ、Ｌ１は位置情報、Ｎ１は位置情報に含まれる移動通信端末装置の端末番号、Ｅ１は位置情報に含まれる最新のエリアコード、Ｅ２は移動通信端末装置が次に移動すると推定されるエリアのエリアコードである。
【００３８】
図７において、移動通信端末装置（２）から送信される位置情報「Ｌ１」には、この移動通信端末装置（２）の端末番号「Ｎ１」および現在位置のエリアコード「Ｅ１」が含まれている。
【００３９】
データべース制御装置５は、位置情報「Ｌ１」を受信すると（ステップＳ１）、受信した位置情報「Ｌ１」に含まれる端末番号「Ｎ１」を基に移動情報データべース９のテーブル９０ａを検索し（ステップＳ２）、受信した位置情報「Ｌ１」に含まれるエリアコード「Ｅ１」を最新エリア情報として時刻（「１１：１８」）とともに記録する（ステップＳ３）。
【００４０】
また、受信した位置情報「Ｌ１」に含まれるエリアコード「Ｅ１」を基にエリアデータべース７のテーブル７０ａを検索し（ステップＳ４）、ステップＳ２で検索した移動情報データべース９におけるテーブル９０ａの移動経歴から、隣接エリアのうちのどのエリアへ移動しつつあるかを推定する（ステップＳ５）。
【００４１】
そして、推定した隣接エリアコード「Ｅ２」を基にエリアデータべース７のテーブル７０ａを再度検索し（ステップＳ６）、隣接エリアコード「Ｅ２」のエリア属性、例えば「温泉地」を取り出し（ステップＳ７）、さらに、端末番号「Ｎ１」を基に情報要求データべース１０のテーブル１００ａを検索して（ステップＳ８）、移動通信端末装置が要求したエリア属性（例えば「温泉地」）を取り出す（ステップＳ９）。
【００４２】
このステップＳ８，Ｓ９の処理で取り出したエリア属性が、ステップＳ７の処理で取り出したエリア属性である「温泉地」と一致するかを調べ（ステップＳ１０）、一致すれば、ステップＳ５の処理で検索した隣接エリアコード「Ｅ２」を基に情報データべース８のテーブル８０ａを検索し（ステップＳ１１）、移動通信端末装置２が要求した情報属性、例えば「ホテル案内」に合致する情報があるか否かを調べ（ステップＳ１２）、合致する情報があれば、当該情報（「ホテル案内情報」）を移動通信端末装置２へ送信する（ステップＳ１３）。
【００４３】
尚、エリア属性例としては「温泉地」の他に、「スーパー」、「駅」、「繁華街」など、そのエリアの特徴を示す属性があり、また情報属性としては、「地図」、「レストラン」、「価格」などがあり、これらは予め決めておけば、移動通信端末装置２からの情報要求設定時には、これらの中から選択することで容易に設定できる。
【００４４】
以上、図１〜図７を用いて説明したように、本例では、通信網１において移動通信端末装置２が移動しながら自分が設定したエリア属性を持つ通信エリア（３４ａ）に近づくか当該通信エリア（３４ａ）に入ると、移動通信端末装置２が要求を設定した情報属性を持つ情報を提供する。このことにより、移動通信端末装置２のユーザは、予め指定したエリア属性を持つ通信エリア３４ａの近くに移動すると、予め指定した情報属性をもつ情報の提供を受けることができる。
【００４５】
このようにして、移動通信端末装置２により、ユーザが事前にどういう場所でどういう情報が欲しいかを登録しておけば、通信網１側で、移動通信端末装置２の移動履歴を記録し、次にどのエリアへ移動するかを推定することにより、移動通信端末装置２が実際に当該エリアに到達する前に当該エリア内の要求情報を提供することができるので、移動通信端末装置２のユーザは事前に行動を決めることができる。
【００４６】
尚、本発明は、図１〜図７を用いて説明した例に限定されるものではなく、その要旨を逸脱しない範囲において種々変更可能である。例えば、本例では、データべース制御装置５および各データべース（７〜１０）は、通信網１内の一部装置としているが、各々を通信網１に接続して別途準備する構成としても、あるいは、通信網１で接続して分散する構成としても、本発明の効果には何ら影響しない。
【００４７】
また、本例でのコンピュータ構成としても、キーボードや光ディスクの駆動装置の無いコンピュータ構成としても良い。また、本例では、光ディスクを記録媒体として用いているが、ＦＤ（Ｆｌｅｘｉｂｌｅ  Ｄｉｓｋ）等を記録媒体として用いることでも良い。また、プログラムのインストールに関しても、通信装置を介してネットワーク経由でプログラムをダウンロードしてインストールすることでも良い。
【００４８】
【発明の効果】
本発明によれば、事前に、移動通信端末装置によりどういう場所でどういう情報が欲しいかを登録しておけば、通信網側で移動通信端末装置の移動履歴を記録し、次にどのエリアへ移動するかを推定することにより、移動通信端末装置が当該エリアに到達する前に、当該エリア内の要求情報を提供することができるので、移動通信端末装置のユーザは事前に行動を決めることができる。これにより、移動通信端末装置のユーザが所望する情報をタイムリーに提供することが可能となり、移動通信網における情報配信サービスの利便性の向上を図ることが可能である。
【図面の簡単な説明】
【図１】本発明に係わる移動通信情報配信システムを設けたネットワークの構成例を示すブロック図である。
【図２】図１における移動通信情報配信システムの処理動作例を示す説明図である。
【図３】図１におけるエリアデータベースのテーブル構成例を示す説明図である。
【図４】図１における情報データベースのテーブル構成例を示す説明図である。
【図５】図１における移動情報データベースのテーブル構成例を示す説明図である。
【図６】図１における情報要求データベースのテーブル構成例を示す説明図である。
【図７】図１におけるデータベース制御装置の処理動作例を示す説明図である。
【符号の説明】
１：通信網、２：移動通信端末装置、４：交換機、５：データべース制御装置（「ＤＢ制御装置」）、５ａ：エリア情報処理部、５ｂ：提供情報処理部、５ｃ：要求情報処理部、５ｄ：移動検知処理部、５ｅ：配信処理部、６：情報提供業者端末装置、７：エリアデータべース（「エリアＤＢ」）、８：情報データべース（「情報ＤＢ」）、９：移動情報データべース（「移動情報ＤＢ」）、１０：情報要求データべース（「情報要求ＤＢ」）、１１：情報要求登録、１２：情報提供、２１：移動経歴、２２：移動方向、３１，３２，３３：基地局装置、３１ａ，３２ａ，３３ａ，３４ａ：通信エリア、３１ｂ，３２ｂ，３３ｂ：位置情報送信、７０，７０ａ：テーブル（エリアデータベース）、７１：エリアコードフイールド、７２：エリア属性フイールド、７３：隣接エリアコードフイールド、８０，８０ａ：テーブル（情報データべース）、８１：フイールド（エリアコード）、８２：フィールド（エリア属性）、８３：フィールド（情報属性）、８４：フィールド（提供情報）、９０，９０ａ：テーブル（移動情報データべース）、９１：フィールド（端末番号）、９２：フイールド（エリアコード）、９３：フィールド（位置情報受信時刻）、１００，１００ａ：テーブル（情報要求データべース）、１０１：フィールド（端末番号）、１０２：フィールド（エリア属性）、１０３：フィールド（情報属性）、Ｌ１：位置情報、Ｎ１：端末番号、Ｅ１：エリアコード（最新）、Ｅ２：エリアコード（推定）。
【図１】
2004336598.tif 000003
【図２】
2004336598.tif 000004
【図３】
2004336598.tif 000005
【図４】
2004336598.tif 000006
【図５】
2004336598.tif 000007
【図６】
2004336598.tif 000008
【図７】
2004336598.tif 000009